(57)【特許請求の範囲】
【請求項１】
折返し階段の踊り場を囲む壁に情報化機器が設置され、この情報化機器を収容する態様で情報化配線を通すパイプシャフトが設けられ、このパイプシャフトの壁に情報化機器の点検口が設けられ、この点検口を開閉する開閉手段が備えられていることを特徴とする情報化住宅。
【請求項２】
前記開閉手段が収納家具からなる請求項１に記載の情報化住宅。
【請求項３】
パイプシャフトが踊り場の奥方の壁の一方半部に設けられると共に、点検口がパイプシャフトの壁の正面側に設けられ、テーブルがこのパイプシャフトよりも手前側に張り出すように踊り場の奥方の壁の一方半部から他方半部にわたってパイプシャフト部分を避けて設けられ、パイプシャフト部分よりも手前側に張り出すテーブル張出し部の上面にレールが設けられ、このレールに開閉手段としての書棚が移動可能に設置され、この書棚をレールに沿って左右に移動させることで点検口が開閉されるものとなされている請求項１に記載の情報化住宅。
【発明の詳細な説明】
【０００１】
【発明の属する技術分野】
本発明は、情報化住宅に関する。
【０００２】
【従来の技術及び課題】
住宅内において、ＩＳＤＮに必要なＤＳＵなどの機材は、分電盤とともに、冷蔵庫の上などの小さな空きスペースを利用して設置されている。
【０００３】
しかし、住宅の情報化が進むに連れて、今後は、ＬＡＮ用の設備とか、ホームサーバーなどの情報化機器を住宅内に設置する必要が出てくる。これらの機器は、比較的頻繁に保守点検を行う必要があり、また、技術の進歩に伴って情報化機器を容易に追加、変更しうるようにしておくことも必要である。また、２階建ての戸建て住宅などでは情報化機器からの配線を階下のみならず、階上にも延ばせるようにしておく必要がある。
【０００４】
本発明は、上記のような要請に鑑み、情報化機器の保守点検や追加、変更に容易に対応することができ、しかも、情報化機器からの配線を容易に延ばすことができる構造の情報化住宅を提供することを課題とする。
【０００５】
【課題を解決するための手段】
上記の課題は、折返し階段の踊り場を囲む壁に情報化機器が設置され、この情報化機器を収容する態様で情報化配線を通すパイプシャフトが設けられ、このパイプシャフトの壁に情報化機器の点検口が設けられ、この点検口を開閉する開閉手段が備えられていることを特徴とする情報化住宅によって解決される。
【０００６】
この情報化住宅では、情報化機器の設置場所を、折返し階段の踊り場を囲む壁としているから、踊り場スペースを利用し、情報化機器の設置や保守点検、追加、変更を容易に行うことができる。これら作業のための階上や階下への移動も容易に行うことができる。踊り場のスペースが情報化機器やパイプシャフトの設置で狭くなる場合には、踊り場スペースを奥方に向けて予め広くしておけばよい。しかも、階上と階下を空間的につなぐ折返し階段の踊り場を囲む壁に情報化機器を設置しているから、情報化配線は、そこから階下へも、階下の天井裏へも、階上へも、階上の天井裏や小屋裏へも、パイプシャフトの中を通じて外に露出させることなく、容易に延ばすことができる。また、情報化機器はパイプシャフト内に設置され、パイプシャフトに設けられた点検口には開閉手段が備えられているから、平時は情報化機器が外に露出してしまうこともない。
【０００７】
前記開閉手段が収納家具からなる場合は、踊り場の奥方領域を、情報化機器が設置されていることを思わせない収納として利用することができる。
【０００８】
パイプシャフトが踊り場の奥方の壁の一方半部に設けられると共に、点検口がパイプシャフトの壁の正面側に設けられ、テーブルがこのパイプシャフトよりも手前側に張り出すように踊り場の奥方の壁の一方半部から他方半部にわたってパイプシャフト部分を避けて設けられ、パイプシャフト部分よりも手前側に張り出すテーブル張出し部の上面にレールが設けられ、このレールに開閉手段としての書棚が移動可能に設置され、この書棚をレールに沿って左右に移動させることで点検口が開閉されるものとなされているのもよい。
【０００９】
この場合、平時は、踊り場を、生活の場の一つである書斎として使用することができる。パイプシャフトの側と横方向において隣り合うテーブル部分については、パイプシャフトの奥行き寸法分を加え、奥行きの大きいテーブル部分にすることができる。情報機器や情報化配線の保守点検等の作業を行うときは、書棚を横に移動し点検口を開いて作業を行うことができ、その場合に、パイプシャフトの前方に張り出すテーブル部分を作業テーブルとして使用することができる。
【００１０】
【発明の実施の形態】
次に、本発明の実施形態を図面に基づいて説明する。
【００１１】
図１乃至図３は戸建て住宅の階段部分を示すもので、階段１は、一階床面と二階床面との間の中間高さ位置に踊り場２を有する折返し階段からなる。３は、一階床面と踊り場２をつなぐ下側の階段部であり、４は、踊り場２と二階床面とをつなぐ上側の階段部である。
【００１２】
この踊り場２の奥方の壁５に、下側の階段部３を昇っていって正面となる側の半部の目線高さ領域において、ＬＡＮ用設備やホームサーバーなどの情報化機器６が取り付けれている。その高さ位置は、概ね、一階天井裏の高さ位置である。そして、この情報化機器６を収容する態様において、同じ側の半部に、上下方向に延びるパイプシャフト７が設けられている。このパイプシャフト７の正面側の壁には、情報化機器６の設置高さ領域において、情報化機器６の設置や点検等を行うことができる点検口８が設けられている。情報化機器６に接続されるＬＡＮやＢＳ、ＣＳ等の情報化配線９は、この位置から、一階天井裏へ通されたり、パイプシャフト７内を通じて一階や二階、小屋裏へと延ばすことができる。
【００１３】
そして、踊り場２には、テーブル１０が、このパイプシャフト７よりも手前側に張り出すようにして、踊り場２の奥方の壁５の一方半部から他方半部にわたってパイプシャフト７を避けるようにして設けられ、パイプシャフト７よりも手前側に張り出すテーブル部分の上面に左右方向に延びるレール１１が設けられ、このレール１１に書棚１２が移動可能に設置され、この書棚１２をレール１１に沿って左右に移動させることで、点検口８が開閉されるようになっている。１３は、上側のレールが備えられた棚である。また、本実施形態では、テーブル１０の下側にも書棚１４が備えられている。
【００１４】
なお、踊り場２の下方の空きスペースを利用して分電盤１５が設置されており、また、上側の階段部４の下方の空きスペースを利用してシューズボックス１６が設置されている。
【００１５】
上記のような階段室構造を備えた情報化住宅では、踊り場２のスペースを利用し、情報化機器６の設置や保守点検、追加、変更を容易に行うことができる。踊り場２に設置されているから、これら作業において、階上や階下への移動も容易に行うことができる。しかも、情報化機器６を折返し階段１の踊り場２に設置しているから、情報化配線９…は、そこから階下へも、階下の天井裏へも、階上へも、階上の天井裏や小屋裏へも、容易に延ばすことができる。また、情報化機器６はパイプシャフト７内に設置され、パイプシャフト７に設けられた点検口８は、収納家具としての書棚１２を開閉扉として開閉される構造としているから、平時は情報化機器６が外に露出してしまうこともなく、情報化機器が設置されていることを思わせない収納として利用することができる。
【００１６】
しかも、収納は書棚１２からなり、テーブル１０も備えられているから、平時は、踊り場２を、生活の場の一つである書斎として使用することができる。パイプシャフト７の側と横方向において隣り合うテーブル部分１０ａについては、パイプシャフト７の奥行き寸法分を加え、大きな奥行きをもたせることができる。情報機器６や情報化配線９…の保守点検等の作業を行うときは、書棚１２を横に移動し点検口８を開いて作業を行うことができ、パイプシャフト７の前方に張り出すテーブル部分１０ｂを作業テーブルとして使用することができる。その場合に、パイプシャフト７の隣りのテーブル部分１０ａは、移動した書棚１２によって隠すことができる。
【００１７】
以上に、本発明の実施形態を示したが、本発明はこれに限られるものではなく、発明思想を逸脱しない範囲で各種の変更が可能である。例えば、上記の実施形態では、情報化機器６とパイプシャフト７を踊り場２の奥方の壁５に設置した場合を示しているが、踊り場の左右いずれかの壁に設置するようにしてもよい。また、点検口８の開閉手段として、書棚１２を用いた場合を示しているが、書棚以外の他の収納家具であってもよいし、意匠パネルであってもよいし、点検口用の専用の蓋ないしは扉であってもよい。
【００１８】
【発明の効果】
本発明は、以上のとおりのものであるから、情報化機器の保守点検や追加、変更に容易に対応することができ、しかも、情報化機器からの配線を各方向に容易に延ばすことができる。
【図面の簡単な説明】
【図１】実施形態を示すもので、情報化住宅の階段部分の平面図である。
【図２】同側面図である。
【図３】図２のＩ−Ｉ線矢視図である。
【符号の説明】
１…折返し階段
２…踊り場
５…奥方の壁
６…情報化機器
７…パイプシャフト
８…点検口
９…情報化配線
１０…テーブル
１１…レール
１２…書棚（収納家具、開閉手段）
【図１】
0004444454.tif 000002
【図２】
0004444454.tif 000003
【図３】
0004444454.tif 000004